(57)【要約】【課題】  １＋１経路冗長切換方法を用いた場合のタイミング同期復旧時間と同等時間で、予備経路の帯域を削減可能なパケット伝送システムを提供する。【解決手段】  ＴＤＭ信号を、現用経路１００及び予備経路２００からなるパケット網経由で伝送する際に、複数のＴＤＭ装置２−１〜２−Ｎ間におけるタイミング同期にＴＤＭ信号を用いるパケット伝送システムにおいて、ＴＤＭ信号をパケットに変換する際に、現用経路１００にＴＤＭ信号のパケットを、予備経路２００にＴＤＭ信号のタイミング情報のパケットを送出し、パケットをＴＤＭ信号に変換する際に、現用経路１００からのパケットが正常時に現用経路１００にて受信したパケットからＴＤＭ信号を抽出して出力し、現用経路１００の障害時に予備経路２００にて受信したパケットのＴＤＭ信号のタイミング情報を基に当該タイミング情報を保持したＴＤＭ信号を出力する。【選択図】      図１
2009089284.tif 000002
【特許請求の範囲】
【請求項１】
ＴＤＭ（Ｔｉｍｅ  Ｄｉｖｉｓｉｏｎ  Ｍｕｌｔｉｐｌｅｘｉｎｇ）信号を、現用経路及び予備経路からなるパケット網経由で伝送する際に、複数のＴＤＭ装置間におけるタイミング同期に前記ＴＤＭ信号を用いるパケット伝送システムであって、
前記ＴＤＭ信号をパケットに変換する際に、前記現用経路に前記ＴＤＭ信号のパケットを、前記予備経路に前記ＴＤＭ信号のタイミング情報のパケットを送出し、
前記パケットを前記ＴＤＭ信号に変換する際に、前記現用経路からのパケットが正常時に前記現用経路にて受信したパケットから前記ＴＤＭ信号を抽出して出力し、前記現用経路の障害時に前記予備経路にて受信したパケットのＴＤＭ信号のタイミング情報を基に当該タイミング情報を保持したＴＤＭ信号を出力することを特徴とするパケット伝送システム。
【請求項２】
ＴＤＭ（Ｔｉｍｅ  Ｄｉｖｉｓｉｏｎ  Ｍｕｌｔｉｐｌｅｘｉｎｇ）信号を、現用経路及び予備経路からなるパケット網経由で伝送する際に、複数のＴＤＭ装置間におけるタイミング同期に前記ＴＤＭ信号を用いるパケット伝送システムであって、
送信側のパケット伝送装置は、前記ＴＤＭ信号をパケットに変換して前記現用経路に送信する第１の送信手段と、前記現用経路に送信するＴＤＭ信号のタイミング情報を抽出する抽出手段と、その抽出されたタイミング情報をパケットに変換して前記予備経路に送信する第２の送信手段とを有し、
受信側のパケット伝送装置は、前記現用経路からのパケットから前記ＴＤＭ信号を抽出する第１の受信手段と、前記予備経路からのパケットから前記タイミング情報を抽出する第２の受信手段と、その抽出されたタイミング情報を基に当該タイミング情報を保持するＴＤＭ信号を生成する生成手段と、前記現用経路の正常時に前記第１の受信手段からのＴＤＭ信号を選択しかつ前記現用経路の障害時に前記生成手段で生成されたＴＤＭ信号を選択する自動選択手段及び手動操作によって前記第１の受信手段からのＴＤＭ信号と前記生成手段で生成されたＴＤＭ信号とのいずれかを選択する手動選択手段のうちの少なくとも一方の手段とを有することを特徴とするパケット伝送システム。
【請求項３】
前記抽出手段は、前記現用経路に送信するＴＤＭ信号のパケット長を計測する手段を含み、その計測したパケット長を含めて前記タイミング情報として出力し、
前記生成手段は、前記パケット長を含むタイミング情報を基に当該タイミング情報を保持するＴＤＭ信号を生成することを特徴とする請求項２記載のパケット伝送システム。
【請求項４】
前記送信側において、前記現用経路に送信するパケットを固定長とし、
前記生成手段は、前記固定長のパケットに相当するクロックを生成し、当該クロックと前記タイミング情報とを基に当該タイミング情報を保持するＴＤＭ信号を生成することを特徴とする請求項２記載のパケット伝送システム。
【請求項５】
前記受信側のパケット伝送装置は、前記選択手段によって選択されたＴＤＭ信号を連続したＴＤＭ信号に変換するスムージングバッファを含むことを特徴とする請求項２から請求項４のいずれか記載のパケット伝送システム。
【請求項６】
前記受信側のパケット伝送装置は、前記第１の受信手段からのＴＤＭ信号を連続したＴＤＭ信号に変換する第１のスムージングバッファと、前記生成手段で生成されたＴＤＭ信号を連続したＴＤＭ信号に変換する第２のスムージングバッファとを含み、
前記選択手段は、前記現用経路の正常時に前記第１のスムージングバッファからのＴＤＭ信号を選択しかつ前記現用経路の障害時に前記第２のスムージングバッファからのＴＤＭ信号を選択することを特徴とする請求項２から請求項４のいずれか記載のパケット伝送システム。
【請求項７】
前記送信側のパケット伝送装置は、前記予備経路に送出するパケットに、前記現用経路に送出するＴＤＭ信号のオーバヘッド情報を含め、
前記受信側のパケット伝送装置は、前記予備系路の受信パケットからオーバヘッド情報を抽出して前記タイミング情報を保持するＴＤＭ信号に挿入することを特徴とする請求項２から請求項６のいずれか記載のパケット伝送システム。
【請求項８】
請求項２から請求項７のいずれか記載の送信側及び受信側の手段を含むことを特徴とするパケット伝送装置。
【請求項９】
ＴＤＭ（Ｔｉｍｅ  Ｄｉｖｉｓｉｏｎ  Ｍｕｌｔｉｐｌｅｘｉｎｇ）信号を、現用経路及び予備経路からなるパケット網経由で伝送する際に、複数のＴＤＭ装置間におけるタイミング同期に前記ＴＤＭ信号を用いるパケット伝送システムに用いるタイミング同期経路冗長方法であって、
前記ＴＤＭ信号をパケットに変換する際に、前記現用経路に前記ＴＤＭ信号のパケットを、前記予備経路に前記ＴＤＭ信号のタイミング情報のパケットを送出し、
前記パケットを前記ＴＤＭ信号に変換する際に、前記現用経路からのパケットが正常時に前記現用経路にて受信したパケットから前記ＴＤＭ信号を抽出して出力し、前記現用経路の障害時に前記予備経路にて受信したパケットのＴＤＭ信号のタイミング情報を基に当該タイミング情報を保持したＴＤＭ信号を出力することを特徴とするタイミング同期経路冗長方法。
【請求項１０】
ＴＤＭ（Ｔｉｍｅ  Ｄｉｖｉｓｉｏｎ  Ｍｕｌｔｉｐｌｅｘｉｎｇ）信号を、現用経路及び予備経路からなるパケット網経由で伝送する際に、複数のＴＤＭ装置間におけるタイミング同期に前記ＴＤＭ信号を用いるパケット伝送システムに用いるタイミング同期経路冗長方法であって、
送信側において、前記ＴＤＭ信号をパケットに変換して前記現用経路に送信する第１の送信処理と、前記現用経路に送信するＴＤＭ信号のタイミング情報を抽出する抽出処理と、その抽出されたタイミング情報をパケットに変換して前記予備経路に送信する第２の送信処理とを実行し、
受信側において、前記現用経路からのパケットから前記ＴＤＭ信号を抽出する第１の受信処理と、前記予備経路からのパケットから前記タイミング情報を抽出する第２の受信処理と、その抽出されたタイミング情報を基に当該タイミング情報を保持するＴＤＭ信号を生成する生成処理と、前記現用経路の正常時に前記第１の受信処理にて抽出されたＴＤＭ信号を選択しかつ前記現用経路の障害時に前記生成処理にて生成されたＴＤＭ信号を選択する自動選択処理及び手動操作によって前記第１の受信処理にて抽出されたＴＤＭ信号と前記生成処理にて生成されたＴＤＭ信号とのいずれかを選択する手動選択処理のうちの少なくとも一方の処理とを実行することを特徴とするタイミング同期経路冗長方法。
【請求項１１】
前記抽出処理において、前記現用経路に送信するＴＤＭ信号のパケット長を計測し、その計測したパケット長を含めて前記タイミング情報として出力し、
前記生成処理において、前記パケット長を含むタイミング情報を基に当該タイミング情報を保持するＴＤＭ信号を生成することを特徴とする請求項１０記載のタイミング同期経路冗長方法。
【請求項１２】
前記送信側において、前記現用経路に送信するパケットを固定長とし、
前記生成処理において、前記固定長のパケットに相当するクロックを生成し、当該クロックと前記タイミング情報とを基に当該タイミング情報を保持するＴＤＭ信号を生成することを特徴とする請求項１０記載のタイミング同期経路冗長方法。
【請求項１３】
前記受信側において、前記選択処理にて選択されたＴＤＭ信号をスムージングバッファにて連続したＴＤＭ信号に変換することを特徴とする請求項１０から請求項１２のいずれか記載のタイミング同期経路冗長方法。
【請求項１４】
前記受信側において、前記第１の受信処理にて抽出されたＴＤＭ信号を第１のスムージングバッファにて連続したＴＤＭ信号に変換し、前記生成処理にて生成されたＴＤＭ信号を第２のスムージングバッファにて連続したＴＤＭ信号に変換し、
前記選択処理において、前記現用経路の正常時に前記第１のスムージングバッファからのＴＤＭ信号を選択しかつ前記現用経路の障害時に前記第２のスムージングバッファからのＴＤＭ信号を選択することを特徴とする請求項１０から請求項１２のいずれか記載のタイミング同期経路冗長方法。
【請求項１５】
前記送信側において、前記予備経路に送出するパケットに、前記現用経路に送出するＴＤＭ信号のオーバヘッド情報を含め、
前記受信側において、前記予備系路の受信パケットからオーバヘッド情報を抽出して前記タイミング情報を保持するＴＤＭ信号に挿入することを特徴とする請求項１０から請求項１４のいずれか記載のタイミング同期経路冗長方法。
【発明の詳細な説明】
【技術分野】
【０００１】
本発明はパケット伝送システム、パケット伝送装置及びそれらに用いるタイミング同期経路冗長方法に関し、特にＴＤＭ（Ｔｉｍｅ  Ｄｉｖｉｓｉｏｎ  Ｍｕｌｔｉｐｌｅｘｉｎｇ）信号をパケット網経由で伝送するシステムにおいて、接続される複数のＴＤＭ装置間がＴＤＭ信号を用いてタイミング同期を行うためのタイミング同期経路冗長方法に関する。
【背景技術】
【０００２】
本発明に関連するパケット伝送システムとしては、送信側で、入力したＴＤＭ信号をパケット化してパケット網を伝送し、受信側で、受信パケットからＴＤＭ信号を抽出し、ＴＤＭ信号に変換するシステムがある。
【０００３】
このシステムに接続される複数のＴＤＭ装置がペイロードの伝送とＴＤＭ装置間のタイミング同期とにＴＤＭ信号を用いている場合には、パケット網の障害時に、ペイロードの障害のみならず、ＴＤＭ装置間のタイミング同期も障害となる。
【０００４】
タイミング同期障害となったＴＤＭ装置に、さらに他のＴＤＭ装置がタイミング同期している場合には、そのＴＤＭ装置にも影響を及ぼす。パケット網の経路冗長方式としては、スパニングツリー等の既知の方式があるが、復旧時間が数十秒と遅く、タイミング同期障害時間が長くなる。
【０００５】
復旧時間を短縮するために、パケット伝送における経路冗長切換の方法としては、送信側で、現用経路へ送出するパケットの複製を予備経路に送出し、受信側で、現用経路障害時に、予備経路のパケットを選択する１＋１経路冗長切換方法がある（例えば、特許文献１〜３参照）。
【０００６】
【特許文献１】特開２００２−２３２４６２号公報
【特許文献２】特開２００６−０６７０４０号公報
【特許文献３】特許第３０００４６６号公報
【発明の開示】
【発明が解決しようとする課題】
【０００７】
上述したパケット伝送における経路冗長を用いた方法では、上記の特許文献１〜３に示すように、送信側が常に予備経路に現用経路と同じパケットの複製を送出しているため、予備経路には常に現用経路と同じ帯域を必要とするという問題がある。
【０００８】
そこで、本発明の目的は上記の問題点を解消し、１＋１経路冗長切換方法を用いた場合のタイミング同期復旧時間と同等時間で、予備経路の帯域を削減することができるパケット伝送システム、パケット伝送装置及びそれらに用いるタイミング同期経路冗長方法を提供することにある。
【課題を解決するための手段】
【０００９】
本発明によるパケット伝送システムは、ＴＤＭ（Ｔｉｍｅ  Ｄｉｖｉｓｉｏｎ  Ｍｕｌｔｉｐｌｅｘｉｎｇ）信号を、現用経路及び予備経路からなるパケット網経由で伝送する際に、複数のＴＤＭ装置間におけるタイミング同期に前記ＴＤＭ信号を用いるパケット伝送システムであって、
前記ＴＤＭ信号をパケットに変換する際に、前記現用経路に前記ＴＤＭ信号のパケットを、前記予備経路に前記ＴＤＭ信号のタイミング情報のパケットを送出し、
前記パケットを前記ＴＤＭ信号に変換する際に、前記現用経路からのパケットが正常時に前記現用経路にて受信したパケットから前記ＴＤＭ信号を抽出して出力し、前記現用経路の障害時に前記予備経路にて受信したパケットのＴＤＭ信号のタイミング情報を基に当該タイミング情報を保持したＴＤＭ信号を出力することを特徴とする。
【００１０】
本発明による他のパケット伝送システムは、ＴＤＭ（Ｔｉｍｅ  Ｄｉｖｉｓｉｏｎ  Ｍｕｌｔｉｐｌｅｘｉｎｇ）信号を、現用経路及び予備経路からなるパケット網経由で伝送する際に、複数のＴＤＭ装置間におけるタイミング同期に前記ＴＤＭ信号を用いるパケット伝送システムであって、
送信側のパケット伝送装置は、前記ＴＤＭ信号をパケットに変換して前記現用経路に送信する第１の送信手段と、前記現用経路に送信するＴＤＭ信号のタイミング情報を抽出する抽出手段と、その抽出されたタイミング情報をパケットに変換して前記予備経路に送信する第２の送信手段とを有し、
受信側のパケット伝送装置は、前記現用経路からのパケットから前記ＴＤＭ信号を抽出する第１の受信手段と、前記予備経路からのパケットから前記タイミング情報を抽出する第２の受信手段と、その抽出されたタイミング情報を基に当該タイミング情報を保持するＴＤＭ信号を生成する生成手段と、前記現用経路の正常時に前記第１の受信手段からのＴＤＭ信号を選択しかつ前記現用経路の障害時に前記生成手段で生成されたＴＤＭ信号を選択する自動選択手段及び手動操作によって前記第１の受信手段からのＴＤＭ信号と前記生成手段で生成されたＴＤＭ信号とのいずれかを選択する手動選択手段のうちの少なくとも一方の手段とを備えている。
【００１１】
本発明によるパケット伝送装置は、上記他のパケット伝送システムに記載の送信側及び受信側の手段を含むことを特徴とする。
【００１２】
本発明によるタイミング同期経路冗長方法は、ＴＤＭ（Ｔｉｍｅ  Ｄｉｖｉｓｉｏｎ  Ｍｕｌｔｉｐｌｅｘｉｎｇ）信号を、現用経路及び予備経路からなるパケット網経由で伝送する際に、複数のＴＤＭ装置間におけるタイミング同期に前記ＴＤＭ信号を用いるパケット伝送システムに用いるタイミング同期経路冗長方法であって、
前記ＴＤＭ信号をパケットに変換する際に、前記現用経路に前記ＴＤＭ信号のパケットを、前記予備経路に前記ＴＤＭ信号のタイミング情報のパケットを送出し、
前記パケットを前記ＴＤＭ信号に変換する際に、前記現用経路からのパケットが正常時に前記現用経路にて受信したパケットから前記ＴＤＭ信号を抽出して出力し、前記現用経路の障害時に前記予備経路にて受信したパケットのＴＤＭ信号のタイミング情報を基に当該タイミング情報を保持したＴＤＭ信号を出力している。
【００１３】
本発明による他のタイミング同期経路冗長方法は、ＴＤＭ（Ｔｉｍｅ  Ｄｉｖｉｓｉｏｎ  Ｍｕｌｔｉｐｌｅｘｉｎｇ）信号を、現用経路及び予備経路からなるパケット網経由で伝送する際に、複数のＴＤＭ装置間におけるタイミング同期に前記ＴＤＭ信号を用いるパケット伝送システムに用いるタイミング同期経路冗長方法であって、
送信側において、前記ＴＤＭ信号をパケットに変換して前記現用経路に送信する第１の送信処理と、前記現用経路に送信するＴＤＭ信号のタイミング情報を抽出する抽出処理と、その抽出されたタイミング情報をパケットに変換して前記予備経路に送信する第２の送信処理とを実行し、
受信側において、前記現用経路からのパケットから前記ＴＤＭ信号を抽出する第１の受信処理と、前記予備経路からのパケットから前記タイミング情報を抽出する第２の受信処理と、その抽出されたタイミング情報を基に当該タイミング情報を保持するＴＤＭ信号を生成する生成処理と、前記現用経路の正常時に前記第１の受信処理にて抽出されたＴＤＭ信号を選択しかつ前記現用経路の障害時に前記生成処理にて生成されたＴＤＭ信号を選択する自動選択処理及び手動操作によって前記第１の受信処理にて抽出されたＴＤＭ信号と前記生成処理にて生成されたＴＤＭ信号とのいずれかを選択する手動選択処理のうちの少なくとも一方の処理とを実行している。
【発明の効果】
【００１４】
本発明は、上記のような構成及び動作とすることで、１＋１経路冗長切換方法を用いた場合のタイミング同期復旧時間と同等時間で、予備経路の帯域を削減することができるという効果が得られる。
【発明を実施するための最良の形態】
【００１５】
次に、本発明の実施の形態について図面を参照して説明する。図１は本発明の第１の実施の形態によるパケット伝送システムの構成例を示すブロック図である。図１においては、ＴＤＭ（Ｔｉｍｅ  Ｄｉｖｉｓｉｏｎ  Ｍｕｌｔｉｐｌｅｘｉｎｇ）信号をパケット化して伝送するシステムにおけるタイミング同期の経路冗長構成を示している。
【００１６】
図１において、本発明の第１の実施の形態によるパケット伝送システムは、マスタタイミング１に同期して動作するＴＤＭ装置（＃１）２−１と、ＴＤＭ装置２−１とパケット網を経由してＴＤＭ信号にて通信を行うとともに、ＴＤＭ装置２−１のタイミングに同期するＴＤＭ装置（＃２〜＃Ｎ）２−２〜２−Ｎと、ＴＤＭ信号のパケットへの変換とその逆の変換とを行うＴＤＭパケット装置（＃１〜＃Ｎ）３−１〜３−Ｎと、現用経路１００と、予備経路２００とから構成されている。
【００１７】
本実施の形態では、上記の目的を達成するため、送信側（ＴＤＭパケット装置３−１）において、ＴＤＭ信号のパケットを現用経路１００に、現用経路１００に送出するパケットのＴＤＭ信号から抽出したタイミング情報をパケット化して予備経路２００にそれぞれ送出する。
【００１８】
受信側（ＴＤＭパケット装置３−２〜３−Ｎ）では、通常、現用経路１００から受信したパケットからＴＤＭ信号を分離し、そのＴＤＭ信号から抽出したタイミングを装置（ＴＤＭ装置２−２〜２−Ｎ）のタイミングとして利用し、現用経路１００の障害時に、予備経路２００から受信したパケットのタイミング情報を分離し、そのタイミング情報からタイミングを生成し、生成したタイミングを装置（ＴＤＭ装置２−２〜２−Ｎ）のタイミングとして利用し、ＴＤＭ装置２−１とＴＤＭ装置２−２〜２−Ｎとの間のタイミング同期を維持する。
【００１９】
本実施の形態では、送信側（ＴＤＭパケット装置３−１）で、タイミング抽出回路が、現用経路１００に送出するパケットのＴＤＭ信号からタイミング情報を抽出し、その抽出したタイミング情報を予備経路パケット送出回路によってパケット化して予備経路２００に送出する。
【００２０】
受信側（ＴＤＭパケット装置３−２〜３−Ｎ）では、現用経路１００のパケット受信回路によってＴＤＭ信号を分離し、タイミング抽出回路によってＴＤＭ信号のタイミングを抽出する。また、受信側（ＴＤＭパケット装置３−２〜３−Ｎ）では、予備経路パケット受信回路によってタイミング情報を分離し、そのタイミング情報からタイミング生成回路によってタイミングが生成される。
【００２１】
さらに、受信側（ＴＤＭパケット装置３−２〜３−Ｎ）では、タイミング選択回路によって、通常時にタイミング抽出回路からのタイミングが選ばれ、現用経路障害時に、または手動操作によってタイミング生成回路からのタイミングが選ばれる。
【００２２】
これによって、本実施の形態では、予備経路２００にＴＤＭ信号そのものではく、ＴＤＭ信号のタイミング情報のみを送出することで、予備経路２００の帯域消費を削減することが可能であるため、パケット網を用いた装置間（ＴＤＭ装置２−１とＴＤＭ装置２−２〜２−Ｎとの間）のタイミングの冗長構成時に、予備経路２００の帯域消費が削減されるという効果を得ることができる。
【００２３】
図２は図１のＴＤＭパケット装置３の構成例を示すブロック図である。図２において、ＴＤＭパケット装置３は入力ＴＤＭ信号をパケットに変換するＴＤＭパケット送信回路３１と、受信パケットをＴＤＭ信号に変換して出力するＴＤＭパケット受信回路３２とから構成されている。尚、ＴＤＭパケット装置３−１〜３−Ｎは、図示していないが、このＴＤＭパケット装置３と同様の構成となっている。
【００２４】
図３は図２のＴＤＭパケット送信回路３１及びＴＤＭパケット受信回路３２の構成例を示すブロック図である。図３において、ＴＤＭパケット送信回路３１は、入力ＴＤＭ信号をパケット化するためのバッファ３１１と、ＴＤＭ信号にパケットヘッダを付加して現用経路１００に出力する現用経路送信回路３１２と、バッファ３１１から読出されるＴＤＭパケットデータからタイミング情報を抽出するタイミング情報抽出回路３１４と、タイミング情報をパケット化して予備経路２００に送出する予備経路送信回路３１５とから構成されている。
【００２５】
ＴＤＭパケット受信回路３２は、現用経路１００からのパケットを受信し、ＴＤＭ信号とパケットヘッダとを分離する現用経路受信回路３２１と、予備経路２００からのパケットを受信してタイミング情報とパケットヘッダとを分離する予備経路受信回路３２２と、タイミング情報からタイミング情報を含んだＴＤＭ信号を生成するタイミング生成回路３２３と、現用経路受信回路３２１からのＴＤＭ信号とタイミング生成回路３２３からのＴＤＭ信号とのいずれかを選択する信号選択回路３２４と、信号選択回路３２４によって選択されたＴＤＭ信号を連続したＴＤＭ信号に変換するスムージングバッファ３２５とから構成されている。
【００２６】
図４は図３のタイミング情報抽出回路３１４の構成例を示すブロック図である。図４において、タイミング情報抽出回路３１４は、パケットＴＤＭデータとパケットＴＤＭクロックとからパケット長を計測してパケット長情報を出力するパケット長計測回路３１４３と、フレーム位置を検出してフレーム位置情報を出力するフレーム位置情報検出回路３１４２と、ＳＳＭ（Ｓｙｎｃｈｒｏｎｉｚａｔｉｏｎ  Ｓｔａｔｕｓ  Ｍｅｓｓａｇｉｎｇ：）を検出して出力するＳＳＭ検出回路３１４１とから構成されている。
【００２７】
図５は図３のタイミング生成回路３２３の構成例を示すブロック図である。図５において、タイミング生成回路３２３は、パケット長情報からクロックを生成するクロック生成回路３２３１と、フレーム位置情報からフレームを生成するフレーム生成回路３２３２と、ＳＳＭ情報からＳＳＭを挿入するＳＳＭ挿入回路３２３３と、ペイロードの保守信号パターンを挿入する保守信号挿入回路３２３４とから構成されている。
【００２８】
図６は図３のＴＤＭパケット送信回路３１の動作を示すタイミングチャートである。これら図３及び図６を参照してＴＤＭパケット送信回路３１の動作について説明する。
【００２９】
図６に示す入力ＴＤＭデータ及び入力ＴＤＭクロックは、ＴＤＭパケット送信回路３１のバッファ３１１に入力される信号の例である。
【００３０】
現用経路送信回路３１２は、決められたバイトパケット長もしくは可変パケット長でＴＤＭデータをパケット化するために、図６に示すパケットＴＤＭクロックを用いて、バッファ３１１から図６に示すパケットＴＤＭデータを読出す。読出されたパケットＴＤＭデータには現用経路送信回路３１２によってパケットヘッダが付加され、図６に示す現用経路パケットとして現用経路１００に出力される。
【００３１】
一方、パケットＴＤＭデータ及びパケットＴＤＭクロックはタイミング抽出回路３１４に入力される。タイミング抽出回路３１４ではパケット長情報、フレームの位置情報、ＳＳＭ情報等が抽出される。抽出されたタイミング情報は予備経路送信回路３１５によって、図６に示す予備経路パケットとして予備経路２００に出力される。
【００３２】
図７は図３のＴＤＭパケット受信回路３２の動作を示すタイミングチャートである。これら図３と図５と図７とを参照してＴＤＭパケット受信回路３２の動作について説明する。
【００３３】
図７に示す現用経路入力パケットは、現用経路１００から現用経路受信回路３２１に入力される信号の例である。図７に示す予備経路入力パケットは、予備経路２００から予備経路受信回路３２２に入力される信号の例である。
【００３４】
現用経路受信回路３２１は、ＴＤＭ信号とパケットヘッダ信号とを分離し、図７に示すようなパケットＴＤＭデータとパケットＴＤＭクロックとを出力する。予備経路受信回路３２２は、タイミング情報とパケットヘッダとを分離し、タイミング情報をタイミング生成回路３２３に入力する。
【００３５】
タイミング生成回路３２３は、図５に示すクロック生成回路３２３１において、パケット長情報から生成ＴＤＭクロックを生成し、図７に示す生成ＴＤＭクロックのようなクロックを出力し、フレーム生成回路３２３２において生成ＴＤＭデータのフレーム位置を生成し、ＳＳＭ挿入回路３２３３において、生成ＴＤＭデータのＳＳＭデータの挿入を行い、保守信号挿入回路３２３４において生成ＴＤＭデータに保守信号を挿入し、図７に示す生成ＴＤＭデータのようなＴＤＭデータを出力する。
【００３６】
信号選択回路３２４は、現用経路１００、予備経路２００からの受信パケットのパケットロス情報、パケットエラー情報等を基に、信号の選択を行う。図７に示す選択制御は、現用経路１００から受信したパケットのエラー等によって、選択信号が現用経路受信回路３２１の出力から、予備経路受信回路３２２に切替わった例である。
【００３７】
図７に示す選択回路出力データ、選択回路出力クロックは、上述した現用経路受信回路３２１の出力から、予備経路受信回路３２２に切替わった例における出力信号の例である。信号選択回路３２３の出力信号は、スムージングバッファ３２５によって平滑化され、図７に示す出力ＴＤＭクロック、出力ＴＤＭデータのような連続した信号で出力される。
【００３８】
このように、本実施の形態では、予備経路２００にＴＤＭ信号そのものではく、ＴＤＭ信号のタイミング情報のみを送出することで、予備経路２００の帯域消費を削減することが可能であるため、パケット網を用いた装置間のタイミングの冗長構成時に、予備経路２００の帯域消費を削減することができるという効果が得られる。
【００３９】
図８は本発明の第２の実施の形態によるタイミング情報抽出回路の構成例を示すブロック図である。図８において、タイミング情報抽出回路３１４ａは、パケット長計測回路３１４３をなくした以外は、図４に示す本発明の第１の実施の形態によるタイミング情報抽出回路３１４と同様の構成となっており、同一構成要素には同一符号を付してある。
【００４０】
図９は本発明の第２の実施の形態によるタイミング生成回路の構成例を示すブロック図である。図９において、タイミング生成回路３２３ａは、クロック生成回路３２３１が固定のパケット長情報からクロックを生成するようにした以外は図４に示す本発明の第１の実施の形態によるタイミング生成回路３２３と同様の構成となっており、同一構成要素には同一符号を付してある。
【００４１】
このように、本発明の第２の実施の形態では、現用経路１００に送信するＴＤＭパケットが固定長で、受信側が送信ＴＤＭパケットの長さを知っている場合であり、図８に示すように、予備経路１００に送出するタイミング情報にはパケット長情報を含まず、図９に示すように、受信側のクロック生成回路３２３１は固定長のＴＤＭパケットに相当するクロックを生成している。
【００４２】
したがって、本実施の形態では、上記の本発明の第１の実施の形態と同様に、予備経路２００にＴＤＭ信号そのものではく、ＴＤＭ信号のタイミング情報のみを送出することで、予備経路２００の帯域消費を削減することが可能であるため、パケット網を用いた装置間のタイミングの冗長構成時に、予備経路２００の帯域消費を削減することができるという効果が得られる。
【００４３】
図１０は本発明の第３の実施の形態によるＴＤＭパケット送信回路及びＴＤＭパケット受信回路の構成例を示すブロック図である。図１０において、本発明の第３の実施の形態によるＴＤＭパケット受信回路３２ａは、信号選択回路３２４の前段にスムジングバッファ３２５，３２６を配置した以外は図４に示す本発明の第１の実施の形態によるＴＤＭパケット送信回路３１及びＴＤＭパケット受信回路３２と同様の構成となっており、同一構成要素には同一符号を付してある。
【００４４】
本実施の形態では、現用経路受信回路３２１からのＴＤＭ信号がスムジングバッファ３２５で連続したＴＤＭ信号に変換された後に信号選択回路３２４に入力され、タイミング生成回路３２３で生成されたＴＤＭ信号がスムージングバッファ３２６で連続したＴＤＭ信号に変換された後に、信号選択回路３２４に入力される。
【００４５】
信号選択回路３２４は現用経路１００からのパケットが正常の場合、スムージングバッファ３２５からのＴＤＭ信号を出力し、現用経路１００からのパケットが障害の場合に、スムージングバッファ３２６からのＴＤＭ信号を出力する。
【００４６】
このように、本実施の形態では、上記の本発明の第１の実施の形態と同様に、予備経路２００にＴＤＭ信号そのものではく、ＴＤＭ信号のタイミング情報のみを送出することで、予備経路２００の帯域消費を削減することが可能であるため、パケット網を用いた装置間のタイミングの冗長構成時に、予備経路２００の帯域消費を削減することができるという効果が得られる。
【００４７】
図１１は本発明の第４の実施の形態によるタイミング情報抽出回路の構成例を示すブロック図である。図１１において、タイミング情報抽出回路３１４ｂは、オーバヘッド情報検出回路３１４４を設けた以外は、図４に示す本発明の第１の実施の形態によるタイミング情報抽出回路３１４と同様の構成となっており、同一構成要素には同一符号を付してある。
【００４８】
図１２は本発明の第４の実施の形態によるタイミング生成回路の構成例を示すブロック図である。図１２において、タイミング生成回路３２３ｂは、ＳＳＭ挿入回路３２３３と保守信号挿入回路３２３４との間にオーバヘッド情報挿入回路３２３５を配置した以外は図４に示す本発明の第１の実施の形態によるタイミング生成回路３２３と同様の構成となっており、同一構成要素には同一符号を付してある。
【００４９】
このように、本実施の形態では、図１１に示すように、送信側において、予備経路２００に送出するパケットに、現用経路１００に送出するＴＤＭ信号のオーバヘッド情報を含め、図１２のように、受信側において、予備系路２００の受信パケットからオーバヘッド情報を抽出して送出ＴＤＭ信号に挿入している。
【００５０】
したがって、本実施の形態では、上記の本発明の第１の実施の形態と同様に、予備経路２００にＴＤＭ信号そのものではく、ＴＤＭ信号のタイミング情報のみを送出することで、予備経路２００の帯域消費を削減することが可能であるため、パケット網を用いた装置間のタイミングの冗長構成時に、予備経路２００の帯域消費を削減することができるという効果が得られる。
【００５１】
上記のように、本発明は、上述した目的を達成するため、送信側において、ＴＤＭ信号のパケットを現用経路１００に、現用経路１００に送出するパケットのＴＤＭ信号から抽出したタイミング情報をパケット化して予備経路２００にそれぞれ送出する。受信側では、通常、現用経路１００から受信したパケットからＴＤＭ信号を分離し、そのＴＤＭ信号から抽出したタイミングを装置のタイミングとして利用し、現用経路１００の障害時に、予備経路２００から受信したパケットのタイミング情報を分離し、そのタイミング情報からタイミングを生成し、生成タイミングを装置タイミングとして利用して装置間のタイミング同期を維持する。
【００５２】
つまり、本発明では、送信側において、タイミング情報抽出回路３１４が、現用経路１００に送出するパケットのＴＤＭ信号からタイミング情報を抽出し、予備経路送信回路３１５によって抽出タイミング情報がパケット化されて予備経路２００に送出される。
【００５３】
受信側においては、現用経路１００の現用経路受信回路３２１によってＴＤＭ信号が分離され、タイミング抽出回路によってＴＤＭ信号のタイミングが抽出される。予備経路受信回路３２２によってタイミング情報が分離され、タイミング生成回路３２３によってタイミング情報からタイミングが生成される。その後に、受信側においては、信号選択回路３２４によって、通常時にタイミング抽出回路からのタイミングが選ばれ、現用経路１００の障害時にタイミング生成回路３２３からのタイミングが選ばれる。
【００５４】
これによって、本発明では、予備経路２００にＴＤＭ信号そのものではく、ＴＤＭ信号のタイミング情報のみを送出することで、予備経路２００の帯域消費を削減することが可能であるため、パケット網を用いた装置間のタイミングの冗長構成時に、予備経路２００の帯域消費を削減することができるという効果が得られる。
【図面の簡単な説明】
【００５５】
【図１】本発明の第１の実施の形態によるパケット伝送システムの構成例を示すブロック図である。
【図２】図１のＴＤＭパケット装置の構成例を示すブロック図である。
【図３】図２のＴＤＭパケット送信回路及びＴＤＭパケット受信回路の構成例を示すブロック図である。
【図４】図３のタイミング情報抽出回路の構成例を示すブロック図である。
【図５】図３のタイミング生成回路の構成例を示すブロック図である。
【図６】図３のＴＤＭパケット送信回路の動作を示すタイミングチャートである。
【図７】図３のＴＤＭパケット受信回路の動作を示すタイミングチャートである。
【図８】本発明の第２の実施の形態によるタイミング情報抽出回路の構成例を示すブロック図である。
【図９】本発明の第２の実施の形態によるタイミング生成回路の構成例を示すブロック図である。
【図１０】本発明の第３の実施の形態によるＴＤＭパケット送信回路及びＴＤＭパケット受信回路の構成例を示すブロック図である。
【図１１】本発明の第４の実施の形態によるタイミング情報抽出回路の構成例を示すブロック図である。
【図１２】本発明の第４の実施の形態によるタイミング生成回路の構成例を示すブロック図である。
【符号の説明】
【００５６】
１  マスタタイミング
２−１〜２−Ｎ  ＴＤＭ装置（＃１〜＃Ｎ）
３−１〜３−Ｎ  ＴＤＭパケット装置（＃１〜＃Ｎ）
３１  ＴＤＭパケット送信装置
３２，３２ａ  ＴＤＭパケット受信装置
３１１  バッファ
３１２  現用経路送信回路
３１４，３１４ａ，
３１４ｂ  タイミング情報抽出回路
３１５  予備経路送信回路
３２１  現用経路受信回路
３２２  予備経路受信回路
３２３，３２３ａ，
３２３ｂ  タイミング生成回路
３２４  信号選択回路
３２５，３２６  スムージングバッファ
３１４１  ＳＳＭ検出回路
３１４２  フレーム位置検出回路
３１４３  パケット長計測回路
３１４４  オーバヘッド情報検出回路
３２３１  クロック生成回路
３２３２  フレーム生成回路
３２３３  ＳＳＭ挿入回路
３２３４  保守信号挿入回路
３２３５  オーバヘッド情報挿入回路
１００  現用経路
２００  予備経路
【図１】
2009089284.tif 000003
【図２】
2009089284.tif 000004
【図３】
2009089284.tif 000005
【図４】
2009089284.tif 000006
【図５】
2009089284.tif 000007
【図６】
2009089284.tif 000008
【図７】
2009089284.tif 000009
【図８】
2009089284.tif 000010
【図９】
2009089284.tif 000011
【図１０】
2009089284.tif 000012
【図１１】
2009089284.tif 000013
【図１２】
2009089284.tif 000014